(57)【要約】【課題】リムレス眼鏡に於いてのレンズと止着部品との共廻りを簡単な方法で防止すること。【解決手段】リムレス眼鏡のレンズ（３０）と止着部品（１０）との止着構造であって、前記止着部品先端部（１１）の縦幅の長さが、ネジ（２０）の中心から最も遠くの先鋭突起部（４０）迄の長さの二倍以内になるように設けた前記ネジの頭部表面側（２２）を止着部品の先端部の裏面（１２）又は表面に固着し、前記ネジの軸部（２４）をレンズ端部に設けられた貫通孔（３１）に通し、レンズ反対側から締結手段であるブッシュ付ナット（５０）により締め上げるた。【選択図】図１
2006350272.tif 000002
【特許請求の範囲】
【請求項１】
リムレス眼鏡のレンズと止着部品との止着構造であって、頭部裏面に少なくとも一箇所以上の尖鋭突起部が設けられたネジの頭部表面側を止着部品の先端部の裏面又は表面に固着し、前記ネジの軸部をレンズ端部に設けられた貫通孔に通し、レンズ反対側から締結手段により締め上げることにより、前記ネジ頭部裏面の尖鋭突起部をレンズ表面に食い込ませる事によりレンズ及び／又は止着部品の共廻りを防止したことを特徴とするリムレス眼鏡の止着構造。
【請求項２】
前記止着部品先端部の縦幅の長さが、前記ネジの中心から最も遠くの先鋭突起部迄の長さの二倍以内であることを特徴とする請求項１記載のリムレス眼鏡の止着構造。
【請求項３】
リムレス眼鏡のレンズと止着部品との止着構造であって、前記止着部品の先端部の縦幅と同長か又は小さい長さの径を有する頭部を有するネジの頭部裏面に少なくとも一箇所以上先鋭突起部を設け、前記ネジの頭部表面側を止着部品の先端部の裏面または表面に固着し、前記ネジの軸部をレンズ端部に設けられた貫通孔に通し、レンズ反対側から締結手段により締め上げることにより、前記ネジ頭部裏面の尖鋭突起部をレンズ表面に食い込ませる事によりレンズ及び／又は止着部品の共廻りを防止したことを特徴とするリムレス眼鏡の止着構造。
【請求項４】
前記締結手段がブッシュ付のナットであることを特徴とする請求項１から３の何れか１項に記載のリムレス眼鏡の止着構造。
【発明の詳細な説明】
【技術分野】
【０００１】  本発明はリムレス眼鏡のレンズと止着部品との止着構造に関する。
【背景技術】
【０００２】  従来、リムレス眼鏡のレンズと止着部品との間の共廻り防止策として、いろんな提案がなされてきている。例えば、共廻り防止策としてヨロイ部分又は連結部分に尖鋭突起部を設けたものがあり、その様な提案として実開平０７−１９７２３号や特許３４８８０３１号が開示されている。
【特許文献１】実開平０７−１９７２３号
【特許文献２】特許３４８８０３１号
【発明の開示】
【発明が解決しようとする課題】
【０００３】  しかし、上記実開平０７−１９７２３号の場合は、レンズの厚さに応じて部品の種類を増やすか、又は、小売店でのレンズ裏面のやすり加工が必要となり高度な技術を必要とする。【０００４】  又、上記特許３４８８０３１号の場合に於いては、レンズ食い込み用のピンとピンの間の距離がヨロイ部品又はブリッジ部品の縦幅の長さより長い際、レンズと部品の組み付けの際にビスを中心にヨロイが回転してしまった時レンズに傷が付くという不良品の発生の問題があった。そして又、レンズとヨロイ部品の間の共廻りは防止できるが、ヨロイ部品とビスの頭部裏面との滑りが生じ、そこで僅かな共廻りが発生してしまいぐらつきが生じていた。
【課題を解決するための手段】
【０００５】  上記課題を解決する為に本発明では、先ず、リムレス眼鏡のレンズと止着部品との止着構造であって、頭部裏面に少なくとも一箇所以上の尖鋭突起部が設けられたネジの頭部表面側を止着部品の先端部の裏面又は表面に固着し、前記ネジの軸部をレンズ端部に設けられた貫通孔に通し、レンズ反対側から締結手段により締め上げることにより、前記ネジ頭部裏面の尖鋭突起部をレンズ表面に食い込ませる事によりレンズ及び／又は止着部品の共廻りを防止したことを特徴とするリムレス眼鏡の止着構造を開発した。次に、前記止着部品先端部の縦幅の長さが、前記ネジの中心から最も遠くの先鋭突起部迄の長さの二倍以内にする事により更なる上記課題の解決を図った。【０００６】  そして、前記止着部品の先端部の縦幅と同長か又は小さい長さの径を有する頭部を有し、且つ、頭部裏面に少なくとも一箇所以上先鋭突起部を設けたネジを止着部品に固着する構造を採った。
【発明の効果】
【０００７】  上記構造を開発したことにより、誰でもが簡単にレンズの組み付けが可能となり、レンズに対するやすり掛けが不要となり、高度な技術が必要とされなくなる。【０００８】  又、レンズと止着部品の組みつけに失敗しても、レンズに傷の付く部分は、止着部品のカバーする範囲内なので不良品になることが無くなった。そして、レンズと止着部品の共廻りの防止は勿論、止着部品とネジの間の滑りも固着されることにより全く無くなった。それ故、デザイン的にもスッキリしたリムレス眼鏡の提供が可能となった。
【発明を実施するための最良の形態】
【０００９】  リムレス眼鏡のレンズと止着部品との止着構造であって、前記止着部品の先端部の縦幅と同長か又は小さい長さの径を有する頭部を有するネジの頭部裏面に少なくとも一箇所以上先鋭突起部を設けるか、或いは、前記止着部品先端部の縦幅の長さが、ネジの中心から最も遠くの先鋭突起部迄の長さの二倍以内になるように設けた前記ネジの頭部表面側を止着部品の先端部の裏面または表面に固着し、前記ネジの軸部をレンズ端部に設けられた貫通孔に通し、レンズ反対側から締結手段であるブッシュ付ナットにより締め上げることにより、前記ネジ頭部裏面の尖鋭突起部をレンズ表面に食い込ませる事によりレンズ及び／又は止着部品の共廻りを防止したことを特徴とするリムレス眼鏡の止着構造。
【実施例】
【００１０】  図１は本発明の実施例の分解斜視図であり、頭部裏面２３に少なくとも一箇所以上の尖鋭突起部４０が設けられたネジ２０の頭部表面側２２を止着部品１０の先端部１１の裏面１２又は表面１３に固着する。この場合止着部品とネジ頭部はロウ付け等の溶着手段で固着する。そして、前記ネジの軸部２４をレンズ端部に設けられた貫通孔３１に通し、レンズ反対側から締結手段５０により締め上げることにより、前記ネジ頭部裏面の尖鋭突起部４０をレンズ表面に食い込ませる。そうしてレンズ及び／又は止着部品ががっしり噛み合い、共廻りが防止される。この場合締結手段としてはブッシュ付のナットが好ましく、しっかりネジ締め出来余ったネジ軸はカットする事が出来スッキリした状態となる。【００１１】  図２と図３は本発明に使用されるネジ（又は、ボルト、ビス、以下ネジと表示）の正面図と底面図であり、これは市販でも売っているので、一から造るような手間も経費も掛からない。そしてこの頭部裏面の先鋭突起部４０は少なくとも一箇所以上で多くても７〜８箇所で設ける。又、前記先鋭突起部は鋸歯状に形成されていても良い。【００１２】  図４は図１の止着部品１０にネジ２０を固着した場合の正面図であり、この場合、止着部品１０の縦幅の長さｍはネジ２０の中心Ｏから最遠の先鋭突起部迄の距離ｎの二倍以上の長さであることが好ましく、そうする事により、組み付けの際に例え止着部品がネジ中心Ｏの周りを回転するようなことになってもレンズ表面の外から見える所には傷は付かない。【００１３】  又、図５の様に、先鋭突起部が設けられたネジ２０ａの頭部直径ｓが止着部品１０ａの先端の縦幅の長さｍより短く設けられても良い。【００１４】  次に図６と図７は説明用の図で止着部品１０ｂに尖鋭突起部４０ｂを設けネジ２０ｂを別に設けて止着部品１０ｂに螺着した場合の正面図と、それをレンズ３０ａに装着した場合の正面図であり、ネジ２０ｂの中心から先鋭突起部４０ｂまでの長さｎ１が止着部品１０ｂの長さ縦幅ｍ２の１／２以上であると、図７に示した様に、レンズ３０ａに止着部品１０ｂを組み付ける際、少しでも手元が狂いＸ又はＹ方向に止着部品１０ｂが回転したりすると、レンズ上にレンズ傷３３がハッキリと判るほど残ってしまい不良品となってしまっていた。【００１５】  図８は本発明の応用変化例の一部断面平面図であり、止着部品１０ｃの先端部にネジ頭部用の凹部６０が設けられてロウ付けされても良く、そして締結手段としてのブッシュ付ナット５０ａでレンズ反対側から締め付けられても良い。又ネジの頭部の形状は図のような円形状でも良いが、四角形などの多角形や楕円形状でも構わない。
【図面の簡単な説明】
【００１６】
【図１】本発明の実施例の分解斜視図
【図２】本発明に使用される部品の説明正面図
【図３】図２の底面図
【図４】本発明の実施説明図
【図５】本発明の他の実施説明図
【図６】レンズに傷が付く場合の説明従来図
【図７】レンズに傷が付く場合の説明従来図
【図８】本発明の応用変化例の一部断面平面図
【符号の説明】
１０    止着部品（ブリッジ、ヨロイ）
１１    止着部品先端部
１２    止着部品裏面
１３    止着部品表面
２０    ネジ（ボルト、ビス）
２１    ネジ頭部
２２    ネジ頭部表面
２３    ネジ頭部裏面
２４    ネジ軸
３０    レンズ
３１    レンズ貫通孔
３３    レンズの傷
４０    尖鋭突起部
５０    ブッシュ付ナット
６０    止着部品先端凹部
【図１】
2006350272.tif 000003
【図２】
2006350272.tif 000004
【図３】
2006350272.tif 000005
【図４】
2006350272.tif 000006
【図５】
2006350272.tif 000007
【図６】
2006350272.tif 000008
【図７】
2006350272.tif 000009
【図８】
2006350272.tif 000010